(57)【要約】【課題】  二次電池の充電時間を短縮できるようにすることを目的とする。【解決手段】  充電しようとする二次電池４の内部抵抗の抵抗値ｒを測定し、その後この二次電池４を定電流Ｉで充電し、この二次電池４の端子間電圧Ｖがこの二次電池４の満充電電圧Ｖｆにこの内部抵抗の抵抗値ｒにこの定電流Ｉを乗算した電圧ｒ・Ｉを加算した電圧Ｖｆ＋ｒ・Ｉとなったときに充電を終了するようにしたものである。【選択図】        図２
2005322592.tif 000002
【特許請求の範囲】
【請求項１】
充電しようとする二次電池の内部抵抗の抵抗値ｒを測定し、その後前記二次電池を定電流Ｉで充電し、
前記二次電池の端子間電圧が前記二次電池の満充電電圧Ｖｆに前記内部抵抗の抵抗値ｒに前記定電流Ｉを乗算した電圧ｒ・Ｉを加算した電圧Ｖｆ＋ｒ・Ｉとなったときに充電を終了するようにしたことを特徴とする二次電池の充電方法。
【発明の詳細な説明】
【技術分野】
【０００１】
本発明は、携帯機器等に使用されるリチウムイオン電池、リチウムポリマー電池等の二次電池を充電するのに適用して好適な二次電池の充電方法に関する。
【背景技術】
【０００２】
従来、携帯電話、ノートパソコン等の携帯機器に使用されるリチウムイオン電池、リチウムポリマー電池等の二次電池の充電は、この二次電池の劣化や安全性を考慮して図４Ａ及びＢに示す如く、この二次電池の端子間電圧Ｖが満充電電圧（規定電圧）Ｖｆになるまで一定電流Ｉで定電流充電し、その後規定電圧Ｖｆの一定電圧で定電圧充電するようにした所謂、定電流定電圧充電方式（特許文献１参照）が用いられている。
【０００３】
これは、一定電流Ｉで定電流充電しているときの二次電池の端子間電圧Ｖは、この二次電池の本来の電圧（内部電圧）Ｖｏに一定電流Ｉとこの二次電池の内部抵抗の抵抗値ｒとによる電圧降下ｒ・Ｉが加算されたものとなる。
【０００４】
この為、定電流充電時に二次電池の端子間電圧Ｖが満充電電圧（規定電圧）Ｖｆとなっても、この二次電池の本来の電圧（内部電圧）Ｖｏは
Ｖｏ＝Ｖｆ−ｒ・Ｉ
であり、満充電の電圧Ｖｆよりこの内部抵抗の抵抗値ｒによる電圧降下ｒ・Ｉ分だけ低い電圧であり、これを満充電電圧とするため規定電圧Ｖｆで定電圧充電し、この二次電池を満充電する如くしていた。
【特許文献１】特開平６−３２５７９４号公報
【発明の開示】
【発明が解決しようとする課題】
【０００５】
ところで、リチウムイオン電池、リチウムポリマー電池等の二次電池は、高いエネルギー密度を持つ電池であり、その特性を十分に生かすために非常に高精度に満充電電圧Ｖｆまで定電圧充電を行なっている。
【０００６】
それゆえ、この二次電池の本来の電圧（内部電圧）Ｖｏを満充電電圧（規定電圧）Ｖｆに限りなく近づける（ｒ・Ｉを限りなく“０”にする）必要があり、この定電圧充電領域に非常に多くの時間を費やし（充電電流が減少すれば、それに伴って本来の電圧(内部電圧)Ｖｏの上昇（充電）も緩やかになる）、充電時間が長い不都合があった。
【０００７】
また、この二次電池の充電時間が長いと、満充電になっていない状態での使用を余儀なくされることが多くなり、その携帯機器の使用可能時間が短くなってしまうと共に、充放電をそれだけ頻繁に行なう必要があり、この二次電池の劣化を促すという不都合があった。
【０００８】
本発明は斯る点に鑑み、二次電池の充電時間を短縮できるようにすることを目的とする。
【課題を解決するための手段】
【０００９】
本発明二次電池の充電方法は、充電しようとする二次電池の内部抵抗の抵抗値を測定し、その後この二次電池を定電流Ｉで充電し、この二次電池の端子間電圧がこの二次電池の満充電電圧Ｖｆにこの内部抵抗の抵抗値ｒにこの定電流Ｉを乗算した電圧ｒ・Ｉを加算した電圧Ｖｆ＋ｒ・Ｉとなったときに充電を終了するようにしたものである。
【発明の効果】
【００１０】
本発明によれば、二次電池を定電流Ｉで充電し、この二次電池の端子間電圧がこの二次電池の満充電電圧Ｖｆに内部抵抗の抵抗値ｒにこの定電流Ｉを乗算した電圧ｒ・Ｉを加算した電圧Ｖｆ＋ｒ・Ｉとなったときに充電を終了するので、この充電終了時はこの二次電池の本来の電圧（内部電圧）Ｖｏは満充電電圧Ｖｆとなる。
【００１１】
また本発明においては、比較的大きな定電流Ｉによる定電流充電だけで定電圧充電を行なわないので、充電時間を短縮することができる。
【発明を実施するための最良の形態】
【００１２】
以下図面を参照して、本発明二次電池の充電方法を実施するための最良の形態の例につき説明する。
【００１３】
図１は、本例による充電装置を示し、図１において、１はこの充電装置の充電を制御するマイクロコンピュータより成る充電制御回路を示す。また２は充電用の直流電源を示し、この直流電源２の正極を定電流回路３の入力側に接続する。
【００１４】
この定電流回路３の出力側を充電しようとする二次電池４の正極に接続し、この二次電池４の負極を直流電源２の負極に接続する如くする。
【００１５】
この定電流回路３は充電制御回路１により出力電流を出力するかしないかが制御されると共に、二次電池４の内部抵抗の測定時は測定用の電流ｉｍを出力するようにし、充電時は充電用の所定大きさの定電流Ｉを出力するように制御される。
【００１６】
また、図１において、５は二次電池４の端子間電圧Ｖを検出する電圧検出回路を示し、この電圧検出回路５で検出した検出電圧Ｖを充電制御回路１に供給と共にメモリー６に供給する。
【００１７】
本例により二次電池４を充電するときの動作につき、図２のフローチャートを参照して説明する。
【００１８】
先ず、充電しようとする二次電池４が接続されたかどうかを判断する（ステップＳ１）。二次電池４が接続されたときは、この二次電池４が不良でないかどうかを判断する（ステップＳ２）。
【００１９】
接続された二次電池４が不良でないときには、電圧検出回路５でこの充電しようとする二次電池４の初期電圧Ｖ１を検出（測定）し（ステップＳ３）、この初期電圧Ｖ１をメモリー６に記憶する。
【００２０】
次に定電流回路３は、この二次電池４の内部抵抗の抵抗値ｒの測定用電流ｉｍを二次電池４に流す（ステップＳ４）。この測定用電流ｉｍを流したときの二次電池４の端子間電圧Ｖ２を電圧検出回路５で測定し（ステップＳ５）、この測定電圧Ｖ２をメモリー６に記憶する。
【００２１】
このとき
Ｖ２＝ｉｍ×ｒ＋Ｖ１
が成立している。この式より充電制御回路１は二次電池４の内部抵抗の抵抗値ｒを計算する（ステップＳ６）。
ｒ＝（Ｖ２−Ｖ１）／ｉｍ
【００２２】
次に、充電終了電圧ＶＳを決定する（ステップＳ７）。この充電終了電圧ＶＳを二次電池４の満充電電圧Ｖｆに二次電池４の内部抵抗の抵抗値ｒに定電流充電する時の定電流Ｉを乗算した内部抵抗による電圧降下ｒ・Ｉ分を加算した電圧Ｖｆ＋ｒ・Ｉとする。この充電終了電圧ＶＳ＝Ｖｆ＋ｒ・Ｉをメモリー６に記憶する。
【００２３】
その後、定電流回路３を一定の充電電流Ｉを出力するように制御し、図３Ａ及びＢに示す如く一定電流Ｉにより定電流充電を行う（ステップＳ８）。この定電流充電しているときは常に電圧検出回路５により二次電池４の端子間電圧Ｖを観察し、この端子間電圧Ｖが充電終了電圧ＶＳ＝Ｖｆ＋ｒ・Ｉになったかどうかを判断する（ステップＳ９）。
【００２４】
この電圧検出回路５に得られる二次電池４の端子間電圧Ｖがこの充電終了電圧ＶＳ＝Ｖｆ＋ｒ・Ｉとなったときに、充電制御回路１より定電流回路３に充電終了信号を送り、定電流回路３は定電流Ｉの出力を停止し、充電を終了する。
【００２５】
本例によれば、二次電池４を定電流Ｉで充電し、この二次電池４の端子間電圧Ｖがこの二次電池４の満充電電圧Ｖｆに内部抵抗の抵抗値ｒにこの定電流Ｉを乗算した電圧ｒ・Ｉを加算した電圧Ｖｆ＋ｒ・Ｉとなったときに充電を終了するので、この充電終了時はこの二次電池４の本来の電圧（内部電圧）Ｖｏは満充電電圧Ｖｆとなる。
【００２６】
また本例においては、比較的大きな定電流Ｉによる定電流充電だけで定電圧充電を行なわないので、充電時間を短縮することができる。
【００２７】
本例によれば充電時間が比較的短いので、常に満充電して使用することができ、その携帯機器の使用可能時間が長くなり、その分充放電の回数を少なくでき、この二次電池４の寿命を長くできる利益がある。
【００２８】
尚、本発明は上述例に限ることなく、本発明の要旨を逸脱することなくその他種々の構成が採り得ることは勿論である。
【図面の簡単な説明】
【００２９】
【図１】充電装置の例を示す構成図である。
【図２】本発明二次電池の充電方法を実施するための最良の形態の例の説明に供するフローチャートである。
【図３】本発明の説明に供する線図である。
【図４】従来の説明に供する線図である。
【符号の説明】
【００３０】
１‥‥充電制御回路、２‥‥直流電源、３‥‥定電流回路、４‥‥二次電池、５‥‥電圧検出回路、６‥‥メモリー
【図１】
2005322592.tif 000003
【図２】
2005322592.tif 000004
【図３】
2005322592.tif 000005
【図４】
2005322592.tif 000006